(57)【特許請求の範囲】
【請求項１】
提供情報が中央装置に登録されており、該中央装置に通信網を介して接続される複数の端末装置の受信要求に応じて、前記提供情報を提供する情報提供方法において、
提供情報の提供者名を公開するか否かの公開情報を受け付け、公開する場合に提供者名を受け付け、公開しない場合に複数のグループから一のグループの選択を受け付けるための情報を一の端末装置へ送信するステップと、
前記一の端末装置から送信された提供情報、該提供情報の受信が許可される受信対象者情報、及び受信対象者に対する前記提供情報の提供形式を登録する登録ステップと、
前記一の端末装置から送信された提供情報の提供者名を公開するか否かの公開情報に基づき、提供者名を公開するか否かを判断するステップと、
提供者名を公開すると判断した場合に前記提供情報に対応づけて前記一の端末装置から送信された提供者名を登録し、提供者名を公開しないと判断した場合に前記提供情報に対応づけて前記一の端末装置から送信されたグループ名を登録するステップと、
他の端末装置から前記中央装置へ送信された受信対象者情報を受信するステップと、
受信した受信対象者情報に基づいて、登録した提供形式に応じた提供情報と提供者名またはグループ名を前記他の端末装置へ提供するステップと
を備えることを特徴とする情報提供方法。
【請求項２】
提供情報が中央装置に登録されており、該中央装置に通信網を介して接続される複数の端末装置の受信要求に応じて、前記提供情報を提供する情報提供システムにおいて、
一の端末装置は、
提供情報の提供者名を公開するか否かの公開情報を受け付け、公開する場合に提供者名を受け付け、公開しない場合に複数のグループから一のグループの選択を受け付けるための情報を前記中央装置から受信する手段と、
提供情報及び該提供情報の受信が許可される受信対象者情報を受け付ける手段と、
提供情報の提供者名を公開するか否かの公開情報を受け付ける手段と、
提供者名を公開する旨の公開情報を受け付けた場合の提供者名または提供者名を公開しない旨の公開情報を受け付けた場合のグループ名を受け付ける手段と、
受け付けた受信対象者に対する前記提供情報の提供形式を受け付ける手段と、
前記受け付けた提供情報、受信対象者情報、及び提供形式、並びに、受け付けた公開情報と提供者名またはグループ名とを前記中央装置へ送信する送信手段とを備え、
前記中央装置は、
送信された提供情報、受信対象者情報、及び提供形式を登録する登録手段と、
送信された公開情報に基づき、提供者名を公開するか否かを判断する手段と、
提供者名を公開すると判断した場合に前記提供情報に対応づけて前記一の端末装置から送信された提供者名を登録し、提供者名を公開しないと判断した場合に前記提供情報に対応づけて前記一の端末装置から送信されたグループ名を登録する手段と、
他の端末装置から送信された受信対象者情報を受信する手段と、
受信した受信対象者情報に基づいて、登録した提供形式に応じた提供情報と提供者名またはグループ名を前記他の端末装置へ提供する提供手段と
を備えることを特徴とする情報提供システム。
【請求項３】
前記登録手段は、
送信された提供情報の情報量が低減された補助提供情報をさらに登録するよう構成してあり、
前記中央装置は、
前記他の端末装置からの受信要求が前記通信網からのアクセスであるか、または、該通信網とファイヤーウォールを介して接続された異なる他の通信網からのアクセスであるかのいずれかを判断する手段を更に備え、
前記提供手段は、
前記他の端末装置からの受信要求が他の通信網であると判断した場合は、前記受信した受信対象者情報に基づいて、登録した補助提供情報を前記他の端末装置へ提供するよう構成してある
ことを特徴とする請求項２に記載の情報提供システム。
【請求項４】
前記提供形式は、提供情報を変換したＰＤＦ形式、及び提供情報を変換しないオリジナル形式を含む
ことを特徴とする請求項２又は３に記載の情報提供システム。
【請求項５】
提供情報を他のコンピュータへ登録するための端末装置において、
提供情報及び該提供情報の受信を許可する受信対象者情報を受け付ける手段と、
提供情報の提供者名を公開するか否かの公開情報を受け付け、公開する場合に提供者名を受け付け、公開しない場合に複数のグループから一のグループの選択を受け付けるための情報を受信する手段と、
提供情報の提供者名を公開するか否かの公開情報を受け付ける手段と、
提供者名を公開する旨の公開情報を受け付けた場合の提供者名または提供者名を公開しない旨の公開情報を受け付けた場合のグループ名を受け付ける手段と、
受け付けた受信対象者に対する前記提供情報の提供形式を受け付ける手段と、
前記受け付けた提供情報、受信対象者情報、及び提供形式、並びに、受け付けた公開情報と提供者名またはグループ名とを他のコンピュータへ送信する送信手段と
を備えることを特徴とする端末装置。
【請求項６】
登録された提供情報を他のコンピュータの受信要求に応じて、提供する中央装置において、
提供情報の提供者名を公開するか否かの公開情報を受け付け、公開する場合に提供者名を受け付け、公開しない場合に複数のグループから一のグループの選択を受け付けるための情報を外部へ送信する手段と、
外部から送信された提供情報、該提供情報の受信が許可される受信対象者情報、及び受信対象者に対する前記提供情報の提供形式を登録する登録手段と、
外部から送信された提供情報の提供者名を公開するか否かの公開情報に基づき、提供者名を公開するか否かを判断する手段と、
提供者名を公開すると判断した場合に前記提供情報に対応づけて外部から送信された提供者名を登録し、提供者名を公開しないと判断した場合に前記提供情報に対応づけて外部から送信されたグループ名を登録する手段と、
他のコンピュータから送信された受信対象者情報を受信する手段と、
受信した受信対象者情報に基づいて、登録した提供形式に応じた提供情報と提供者名またはグループ名を前記他のコンピュータへ提供する提供手段と
を備えることを特徴とする中央装置。
【請求項７】
登録された提供情報を他のコンピュータの受信要求に応じて、提供するためのコンピュータプログラムにおいて、
コンピュータに、提供情報の提供者名を公開するか否かの公開情報を受け付け、公開する場合に提供者名を受け付け、公開しない場合に複数のグループから一のグループの選択を受け付けるための情報を外部へ送信させるステップと、
コンピュータに、外部から送信された提供情報、該提供情報の受信が許可される受信対象者情報、及び受信対象者に対する前記提供情報の提供形式を登録させる登録ステップと、
コンピュータに、外部から送信された提供情報の提供者名を公開するか否かの公開情報に基づき、提供者名を公開するか否かを判断させるステップと、
コンピュータに、提供者名を公開すると判断した場合に前記提供情報に対応づけて外部から送信された提供者名を登録させ、提供者名を公開しないと判断した場合に前記提供情報に対応づけて外部から送信されたグループ名を登録させるステップと、
コンピュータに、他のコンピュータから送信された受信対象者情報を受信させるステップと、
コンピュータに、受信させた受信対象者情報に基づいて、登録させた提供形式に応じた提供情報と提供者名またはグループ名を前記他のコンピュータへ提供させる提供ステップと
を実行させるためのコンピュータプログラム。
【請求項８】
提供情報を他のコンピュータへ登録させるためのコンピュータプログラムにおいて、
コンピュータに、提供情報の提供者名を公開するか否かの公開情報を受け付け、公開する場合に提供者名を受け付け、公開しない場合に複数のグループから一のグループの選択を受け付けるための情報を受信させるステップと、
コンピュータに、提供情報及び該提供情報の受信を許可する受信対象者情報を受け付けさせるステップと、
コンピュータに、提供情報の提供者名を公開するか否かの公開情報を受け付けさせるステップと、
コンピュータに、提供者名を公開する旨の公開情報を受け付けた場合の提供者名または提供者名を公開しない旨の公開情報を受け付けた場合のグループ名を受け付けさせるステップと、
コンピュータに、受け付けさせた受信対象者に対する前記提供情報の提供形式を受け付けさせるステップと、
コンピュータに、前記受け付けさせた提供情報、受信対象者情報、及び提供形式、並びに、公開情報と提供者名またはグループ名とを他のコンピュータへ送信させる送信ステップと
を実行させるためのコンピュータプログラム。
【請求項９】
登録された提供情報を他のコンピュータの受信要求に応じて提供するためのコンピュータプログラムが記録された記録媒体において、
コンピュータに、提供情報の提供者名を公開するか否かの公開情報を受け付け、公開する場合に提供者名を受け付け、公開しない場合に複数のグループから一のグループの選択を受け付けるための情報を外部へ送信させるステップと、
コンピュータに、外部から送信された提供情報、該提供情報の受信が許可される受信対象者情報、及び受信対象者に対する前記提供情報の提供形式を登録させる登録ステップと、
コンピュータに、外部から送信された提供情報の提供者名を公開するか否かの公開情報に基づき、提供者名を公開するか否かを判断させるステップと、
コンピュータに、提供者名を公開すると判断した場合に前記提供情報に対応づけて外部から送信された提供者名を登録させ、提供者名を公開しないと判断した場合に前記提供情報に対応づけて外部から送信されたグループ名を登録させるステップと、
コンピュータに、他のコンピュータから送信された受信対象者情報を受信させるステップと、
コンピュータに、受信させた受信対象者情報に基づいて、登録させた提供形式に応じた提供情報と提供者名またはグループ名を前記他のコンピュータへ提供させる提供ステップと
を実行させるためのコンピュータプログラムが記録されていることを特徴とするコンピュータでの読み取りが可能な記録媒体。
【発明の詳細な説明】
【０００１】
【発明の属する技術分野】
本発明は、提供情報が中央装置に登録されており、該中央装置に通信網を介して接続される複数の端末装置の受信要求に応じて、前記提供情報を提供する情報提供方法、情報提供システム、端末装置、中央装置、コンピュータを中央装置として機能させるためのコンピュータプログラム、及び記録媒体に関する。
【０００２】
【従来の技術】
大学、企業等の組織内ではＷＷＷサーバコンピュータ等の中央装置に提供すべき情報を登録しておき、生徒、社員等が必要な情報をブラウザ等により閲覧またはダウンロードすることにより、提供情報を共有するネットワークが構築されている。これらのネットワークは、組織内のイントラネット内で構築される他、必要に応じてイントラネット外のインターネット経由でも、所望の情報を入手することが可能となっている。
【０００３】
【発明が解決しようとする課題】
しかしながら、中央装置にこれらの情報を登録した場合、第３者が自由にこれらの情報を入手することができるため、秘密性の高い情報については安易に登録することが出来ないという問題があった。また、研究報告書、研究論文、操作マニュアル等の提供情報は、閲覧は許可しても良いが、オリジナルデータそのものをデッドコピーされて簡単に再利用されては問題となる著作性の高い性質のものである。そのためこのような提供情報については、オリジナルデータそのものの登録が拒否されるケースが多かった。
【０００４】
また、研究論文等の著作性の強い情報、及び指導教授から生徒への通達事項等の個人向けの情報については提供者の名前を公開して提供情報の出先を明らかにする必要がある。一方、就職情報の案内、食堂の開店時間、休講情報の案内等、著作性の低い一般的事項については、提供者名をわざわざ明らかにする必要がない。または提供者の個人名を明らかにしたくない場合もある。
【０００５】
さらに、動画像等のデータ量の大きい提供情報が提供される場合、例えばギガ単位の通信能力を備える通信環境の良いイントラネット内では特に支障は発生しないが、通信環境の劣るインターネットを介して動画像を提供する場合、中央装置及び端末装置間のトラフィックに大きな影響を与えることになる。
【０００６】
本発明は斯かる事情に鑑みてなされたものであり、その目的とするところは、情報提供者に、受信対象者を選択させ、また受信対象者毎に提供情報の提供形式を選択させることにより、提供情報の著作性の性質に応じて、情報提供者の意志により提供情報の開示対象者及び開示形式を決定することが可能であり、また提供情報の秘密性の保持及びデッドコピーの防止を達成することが可能な情報提供方法、情報提供システム、端末装置、中央装置、コンピュータを中央装置として機能させるためのコンピュータプログラム、及び記録媒体を提供することにある。
【０００７】
また、本発明の他の目的は、提供情報の提供者名を公開するか否かを選択させることにより、提供情報の種類、性質に応じた情報の提供が可能となる情報提供システムを提供することにある。
【０００８】
さらに、本発明の他の目的は、通信速度の劣る通信網からアクセスがあった場合は、オリジナルの提供情報よりも情報量の少ない提供情報を提供することにより、通信トラフィックの負担を軽減することが可能な情報提供システムを提供することにある。
【０００９】
【課題を解決するための手段】
本発明に係る情報提供方法は、提供情報が中央装置に登録されており、該中央装置に通信網を介して接続される複数の端末装置の受信要求に応じて、前記提供情報を提供する情報提供方法において、提供情報の提供者名を公開するか否かの公開情報を受け付け、公開する場合に提供者名を受け付け、公開しない場合に複数のグループから一のグループの選択を受け付けるための情報を一の端末装置へ送信するステップと、前記一の端末装置から送信された提供情報、該提供情報の受信が許可される受信対象者情報、及び受信対象者に対する前記提供情報の提供形式を登録する登録ステップと、前記一の端末装置から送信された提供情報の提供者名を公開するか否かの公開情報に基づき、提供者名を公開するか否かを判断するステップと、提供者名を公開すると判断した場合に前記提供情報に対応づけて前記一の端末装置から送信された提供者名を登録し、提供者名を公開しないと判断した場合に前記提供情報に対応づけて前記一の端末装置から送信されたグループ名を登録するステップと、他の端末装置から前記中央装置へ送信された受信対象者情報を受信するステップと、受信した受信対象者情報に基づいて、登録した提供形式に応じた提供情報と提供者名またはグループ名を前記他の端末装置へ提供するステップとを備えることを特徴とする。
【００１０】
本発明に係る情報提供システムは、提供情報が中央装置に登録されており、該中央装置に通信網を介して接続される複数の端末装置の受信要求に応じて、前記提供情報を提供する情報提供システムにおいて、一の端末装置は、提供情報の提供者名を公開するか否かの公開情報を受け付け、公開する場合に提供者名を受け付け、公開しない場合に複数のグループから一のグループの選択を受け付けるための情報を前記中央装置から受信する手段と、提供情報及び該提供情報の受信が許可される受信対象者情報を受け付ける手段と、提供情報の提供者名を公開するか否かの公開情報を受け付ける手段と、提供者名を公開する旨の公開情報を受け付けた場合の提供者名または提供者名を公開しない旨の公開情報を受け付けた場合のグループ名を受け付ける手段と、受け付けた受信対象者に対する前記提供情報の提供形式を受け付ける手段と、前記受け付けた提供情報、受信対象者情報、及び提供形式、並びに、受け付けた公開情報と提供者名またはグループ名とを前記中央装置へ送信する送信手段とを備え、前記中央装置は、送信された提供情報、受信対象者情報、及び提供形式を登録する登録手段と、送信された公開情報に基づき、提供者名を公開するか否かを判断する手段と、提供者名を公開すると判断した場合に前記提供情報に対応づけて前記一の端末装置から送信された提供者名を登録し、提供者名を公開しないと判断した場合に前記提供情報に対応づけて前記一の端末装置から送信されたグループ名を登録する手段と、他の端末装置から送信された受信対象者情報を受信する手段と、受信した受信対象者情報に基づいて、登録した提供形式に応じた提供情報と提供者名またはグループ名を前記他の端末装置へ提供する提供手段とを備えることを特徴とする。
【００１２】
本発明に係る情報提供システムは、前記登録手段は、送信された提供情報の情報量が低減された補助提供情報をさらに登録するよう構成してあり、前記中央装置は、前記他の端末装置からの受信要求が前記通信網からのアクセスであるか、または、該通信網とファイヤーウォールを介して接続された異なる他の通信網からのアクセスであるかのいずれかを判断する手段を更に備え、前記提供手段は、前記他の端末装置からの受信要求が他の通信網であると判断した場合は、前記受信した受信対象者情報に基づいて、登録した補助提供情報を前記他の端末装置へ提供するよう構成してあることを特徴とする。
【００１３】
本発明に係る情報提供システムは、前記提供形式は、提供情報を変換したＰＤＦ形式、及び提供情報を変換しないオリジナル形式を含むことを特徴とする。
【００１４】
本発明に係る端末装置は、提供情報を他のコンピュータへ登録するための端末装置において、提供情報及び該提供情報の受信を許可する受信対象者情報を受け付ける手段と、提供情報の提供者名を公開するか否かの公開情報を受け付け、公開する場合に提供者名を受け付け、公開しない場合に複数のグループから一のグループの選択を受け付けるための情報を受信する手段と、提供情報の提供者名を公開するか否かの公開情報を受け付ける手段と、提供者名を公開する旨の公開情報を受け付けた場合の提供者名または提供者名を公開しない旨の公開情報を受け付けた場合のグループ名を受け付ける手段と、受け付けた受信対象者に対する前記提供情報の提供形式を受け付ける手段と、前記受け付けた提供情報、受信対象者情報、及び提供形式、並びに、受け付けた公開情報と提供者名またはグループ名とを他のコンピュータへ送信する送信手段とを備えることを特徴とする。
【００１５】
本発明に係る中央装置は、登録された提供情報を他のコンピュータの受信要求に応じて、提供する中央装置において、提供情報の提供者名を公開するか否かの公開情報を受け付け、公開する場合に提供者名を受け付け、公開しない場合に複数のグループから一のグループの選択を受け付けるための情報を外部へ送信する手段と、外部から送信された提供情報、該提供情報の受信が許可される受信対象者情報、及び受信対象者に対する前記提供情報の提供形式を登録する登録手段と、外部から送信された提供情報の提供者名を公開するか否かの公開情報に基づき、提供者名を公開するか否かを判断する手段と、提供者名を公開すると判断した場合に前記提供情報に対応づけて外部から送信された提供者名を登録し、提供者名を公開しないと判断した場合に前記提供情報に対応づけて外部から送信されたグループ名を登録する手段と、他のコンピュータから送信された受信対象者情報を受信する手段と、受信した受信対象者情報に基づいて、登録した提供形式に応じた提供情報と提供者名またはグループ名を前記他のコンピュータへ提供する提供手段とを備えることを特徴とする。
【００１６】
本発明に係るコンピュータプログラムは、登録された提供情報を他のコンピュータの受信要求に応じて、提供するためのコンピュータプログラムにおいて、コンピュータに、提供情報の提供者名を公開するか否かの公開情報を受け付け、公開する場合に提供者名を受け付け、公開しない場合に複数のグループから一のグループの選択を受け付けるための情報を外部へ送信させるステップと、コンピュータに、外部から送信された提供情報、該提供情報の受信が許可される受信対象者情報、及び受信対象者に対する前記提供情報の提供形式を登録させる登録ステップと、コンピュータに、外部から送信された提供情報の提供者名を公開するか否かの公開情報に基づき、提供者名を公開するか否かを判断させるステップと、コンピュータに、提供者名を公開すると判断した場合に前記提供情報に対応づけて外部から送信された提供者名を登録させ、提供者名を公開しないと判断した場合に前記提供情報に対応づけて外部から送信されたグループ名を登録させるステップと、コンピュータに、他のコンピュータから送信された受信対象者情報を受信させるステップと、コンピュータに、受信させた受信対象者情報に基づいて、登録させた提供形式に応じた提供情報と提供者名またはグループ名を前記他のコンピュータへ提供させる提供ステップとを実行させることを特徴とする。
【００１７】
本発明に係るコンピュータプログラムは、提供情報を他のコンピュータへ登録させるためのコンピュータプログラムにおいて、コンピュータに、提供情報の提供者名を公開するか否かの公開情報を受け付け、公開する場合に提供者名を受け付け、公開しない場合に複数のグループから一のグループの選択を受け付けるための情報を受信させるステップと、コンピュータに、提供情報及び該提供情報の受信を許可する受信対象者情報を受け付けさせるステップと、コンピュータに、提供情報の提供者名を公開するか否かの公開情報を受け付けさせるステップと、コンピュータに、提供者名を公開する旨の公開情報を受け付けた場合の提供者名または提供者名を公開しない旨の公開情報を受け付けた場合のグループ名を受け付けさせるステップと、コンピュータに、受け付けさせた受信対象者に対する前記提供情報の提供形式を受け付けさせるステップと、コンピュータに、前記受け付けさせた提供情報、受信対象者情報、及び提供形式、並びに、公開情報と提供者名またはグループ名とを他のコンピュータへ送信させる送信ステップとを実行させることを特徴とする。
【００１８】
本発明に係るコンピュータでの読み取りが可能な記録媒体は、登録された提供情報を他のコンピュータの受信要求に応じて提供するためのコンピュータプログラムが記録された記録媒体において、コンピュータに、提供情報の提供者名を公開するか否かの公開情報を受け付け、公開する場合に提供者名を受け付け、公開しない場合に複数のグループから一のグループの選択を受け付けるための情報を外部へ送信させるステップと、コンピュータに、外部から送信された提供情報、該提供情報の受信が許可される受信対象者情報、及び受信対象者に対する前記提供情報の提供形式を登録させる登録ステップと、コンピュータに、外部から送信された提供情報の提供者名を公開するか否かの公開情報に基づき、提供者名を公開するか否かを判断させるステップと、コンピュータに、提供者名を公開すると判断した場合に前記提供情報に対応づけて外部から送信された提供者名を登録させ、提供者名を公開しないと判断した場合に前記提供情報に対応づけて外部から送信されたグループ名を登録させるステップと、コンピュータに、他のコンピュータから送信された受信対象者情報を受信させるステップと、コンピュータに、受信させた受信対象者情報に基づいて、登録させた提供形式に応じた提供情報と提供者名またはグループ名を前記他のコンピュータへ提供させる提供ステップとを実行させるためのコンピュータプログラムが記録されていることを特徴とする。
【００１９】
本発明にあっては、教授、学生、事務局の職員等は一の端末装置から中央装置へ研究論文、時間割表等の提供情報を送信することにより、これらの情報を中央装置に登録する。そして、学生等の他の端末装置から受信要求があった場合はこの提供情報を提供する。この場合、一の端末装置は提供情報に加えて、該提供情報の受信が許可される受信対象者情報を受け付ける。受信対象者情報としては例えば、受信を許可する学生の識別番号、特定の研究室に所属するグループ等が該当する。
【００２０】
さらに一の端末装置は、各受信対象者に対する提供情報の提供形式を受け付ける。提供形式としては例えば、提供情報のＰＤＦ(Portable Document Format)形式、または全く形式を変更しないオリジナル形式がある。教授等の情報提供者は提供情報をオリジナル形式のままにして登録するか、あるいはＰＤＦ形式に変換して登録するか否かの情報を受信対象者毎に選択して入力する。例えば、研究室に属する学生等にはオリジナル形式の研究論文を提供しても良いが、その他のグループ、学生には閲覧は許可するがデッドコピーを防止したいという場合がある。その場合、受信対象者である研究室のグループには、提供形式としてオリジナル及びＰＤＦ形式を登録し、一方、他のグループ、学生等には提供形式としてＰＤＦ形式のみを登録しておく。
【００２１】
この受け付けた提供情報、受信対象者情報、及び提供形式は中央装置へ送信され登録される。ここで、学生等の他の端末装置から受信対象者情報が送信された場合、受信した受信対象者情報に基づいて、登録した提供形式に応じた提供情報を前記他の端末装置へ提供する。つまり、上述した例であれば、研究室のグループに係る受信対象者からの受信要求である場合、提供形式としてオリジナル及びＰＤＦ形式に係る提供情報を提供し、一方、他のグループ、学生等に係る受信対象者からの受信要求である場合、提供形式としてＰＤＦ形式に係る提供情報のみを提供する。
【００２２】
以上の如く構成したので、提供情報の著作性の性質に応じて、情報提供者の意志により提供情報の受信対象者及び開示形式を決定することが可能となる。そのため提供する情報の秘密性が保持され、また安易な提供情報のデッドコピーを防止することが出来る。
【００２３】
また、本発明にあっては、一の端末装置は、提供情報の提供者名を公開するか否かの公開情報を受け付ける。この受け付けられた公開情報は中央装置へ送信され登録される。そして、公開する場合は、提供情報の提供の際、提供者の名前が生徒等の端末装置へ送信される。一方、公開しない場合は提供者の名前は送信されず、提供者が属しているグループ名が送信される。これにより、研究論文、指導教授から生徒への通達事項等については提供者の名前を公開して、情報の出先を明確化することが出来る。一方、就職情報の案内、食堂の開店時間、休講情報の案内等の一般的事項については、この種の提供情報とは無関係な提供者名を伏せて、適切なグループ名で送信することができる。
【００２４】
本発明にあっては、中央装置に提供情報の情報量が低減された補助提供情報をさらに登録しておく。例えば、動画像の場合、オリジナルの動画像よりも画素数を低下、またはフレーム数を低下させる。中央装置は、他の端末装置からの受信要求がイントラネット等の通信網を介したものであるか、または、該通信網とは異なるインターネット等の他の通信網を介したものであるかのいずれかを判断する。そして、他の端末装置からの受信要求が他の通信網であると判断した場合は、オリジナルの提供情報に変えて、情報量を低減させた補助提供情報を他の端末装置へ提供する。このように、端末装置からの受信要求箇所に応じて、最適な提供情報を提供することとしたので、中央装置、及び端末装置間の通信トラフィックの負担を大幅に低減することが可能となる。
【００２５】
【発明の実施の形態】
以下本発明を実施の形態を示す図面に基づいて詳述する。
実施の形態１
図１は、情報提供システムの概要を示す説明図である。図に示す１は提供情報が登録された中央装置であり、中央装置１には、イントラネット等の所定空間内に形成される通信網Ｎを介してパーソナルコンピュータ等の端末装置２，２，２…が接続されている。各端末装置２，２，２…は、中央装置１から必要な提供情報を取得することができる。また、中央装置１には、インターネット等の補助通信網ＳＮを介して、イントラネット外の端末装置２１，２１，２１…が接続されており、各端末装置２１，２１，２１…からも提供情報を取得することができる。
【００２６】
ただし、補助通信網ＳＮを介して端末装置２１により、中央装置１の提供情報を取得する場合、ファイアウォールとして機能するＦ／Ｗコンピュータ４により、中央装置１への直接のアクセスは認められず、ＷＷＷ(World Wide Web)サーバ機能を有するコンピュータ３へのアクセスのみが許可される。コンピュータ３は、端末装置２１からの要求に応じて、必要な提供情報の取得要求を中央装置１へ行い、そしてコンピュータ３は取得した提供情報を端末装置２１へ送信する。
【００２７】
図２は中央装置１及び端末装置２のハードウェア構成を示すブロック図である。まず中央装置１について説明する。図に示すように、ＣＰＵ(Central Processing Unit)１１には、バス１７を介してＲＡＭ(Random Access Memory)１２、キーボード、マウス等の操作部１３、液晶ディスプレィ等の表示部１４、ハードディスク等の記憶部１５、及びＬＡＮ接続ボード等の通信部１６が接続されている。また、ＲＡＭ１２には後述する本発明の開示方法を実行するためのＪａｖａ言語またはＣ言語等で作成されたアプリケーションを含む制御プログラム１２Ｐが格納されている。
【００２８】
また、記憶部１５には受信者の情報等を登録した受信者データベース（以下、受信者ＤＢという）１５１、提供情報、該提供情報の提供形式等を登録した提供情報データベース（以下、提供情報ＤＢという）１５２、受信者が属するグループに関する情報を登録したグループデータベース（以下、グループＤＢという）１５３が格納されている。これらのＤＢの内容については後述する。なお、以下では、教授、学生、事務局職員等が提供した提供情報を中央装置１に登録し、この登録された提供情報を、生徒、教授、職員等が使用する端末装置２からそれぞれ受信する場合について説明するが、これに限らず、企業内の提供情報、病院内の提供情報等を登録、受信する場合にも適用することができる。
【００２９】
次に、端末装置２の構成について説明する。なお、端末装置２１については端末装置２と同様の構成をしているため詳細な説明は省略する。図２に示すように、ＣＰＵ２１には、バス２７を介してＲＡＭ２２、キーボード、マウス等の操作部２３、液晶ディスプレィ等の表示部２４、ハードディスク等の記憶部２５、及びＬＡＮ接続ボード等の通信部２６が接続されている。また、ＲＡＭ２２には後述する本発明の開示方法を実行するためのＷＷＷブラウザ２２Ｐが格納されている。
【００３０】
図３は受信者ＤＢ１５１のレコードレイアウトを示す説明図である。図に示すように、各学生、教員、職員等に対して付与される固有の識別情報（以下、ＩＤという）に対応させて提供情報を受信する際に認証のために用いるパスワード、氏名、学生が所属する学部、学科、研究室等の情報が登録されている。これらの各情報は操作部１３から管理者が適宜入力するようにすればよい。
【００３１】
図４はグループＤＢ１５３のレコードレイアウトを示す説明図である。グループＤＢ１５３は各学部に所属する学生のＩＤを登録した学部ＤＢ１５３１，各学科に所属する学生のＩＤを登録した学科ＤＢ１５３２、及び各研究室に所属する学生のＩＤを登録した研究室ＤＢ１５３３が登録されている。学部ＤＢ１５３１は受信者ＤＢ１５１を各学部の情報を基にソートしたものであり、同様に学科ＤＢ１５３２，及び研究室ＤＢ１５３３も受信者ＤＢ１５１をそれぞれの項目毎にソートしたものである。この他グループＤＢ１５３には職員が所属するグループ毎に職員のＩＤを登録した職員ＤＢ（図示せず）、及び教員が所属するグループ毎に教員のＩＤを登録した教員ＤＢ（図示せず）等がある。
【００３２】
図５は提供情報を登録する際のイメージを示す説明図である。教授等の情報提供者が登録する提供情報は、端末装置２から中央装置１へアップロードすることにより行う。提供者が予め付与された固有のＩＤ及びパスワードを基にログインした場合、中央装置１は、受信者ＤＢ１５１で参照し、提供者を認証する。認証に成功した場合、図５に示すＨＴＭＬ等の文書が端末装置２のブラウザに表示される。入力項目としては、提供情報のファイル名、タイトル、提供者名に関する情報、受信対象者情報、提供形式等を入力する。以下に各入力項目について詳述する。
【００３３】
提供情報ファイル名には、登録すべきファイル名を直接入力または選択することにより入力する。提供情報は文書ファイルの他、画像ファイル、動画ファイル、コンピュータプログラム等であっても良い。タイトルは、提供情報を受信対象者に提供する際の見出しであり、提供情報の内容が簡易に把握できるような名前を入力する。提供者名については、提供者名を公開するか否かをチェックボックスＢ１，Ｂ２により択一的に選択することが可能となっている。受信対象者に提供者自身の名前を公開する場合はチェックボックスＢ１をチェックする。この場合、中央装置１は既に送信されたＩＤに基づき、受信者ＤＢ１５１を参照してＩＤに対応する氏名を抽出し、提供情報と共に、抽出した氏名を公開する。このように、学会論文、研究に用いるコンピュータプログラム等、著作性の高い提供情報については、チェックボックスＢ１をチェックし提供者名を公開することが可能となる。
【００３４】
一方、提供者名を公開しない場合、チェックボックスＢ２をクリックする。この場合提供者名に変えてグループ名を選択する。プルダウンボックスＢ３には提供者が所有しかつ書き込み権のある複数のグループ名が自動的にＨＴＭＬ内に埋め込まれて、いずれか一のグループを選択することができる。図の例では、提供者名に変えて学内通信編集部の名前が公開されることになる。このように、休講情報、学内情報誌等、著作性の低い提供情報については提供者名を伏せておくことが可能となる。
【００３５】
受信対象者情報には、提供情報の受信を許可する受信対象者を入力する。具体的には、図に示すように個別にＩＤを入力する他、研究室、学科等のグループ単位で入力することも可能である。グループ単位で入力する場合は、図に示すように公開対象となる学科名、研究室名等を入力する。提供形式欄には受信対象者毎に提供情報の提供形式をそれぞれ入力する。提供情報をそのまま加工することなく提供する場合は、オリジナル形式を選択する。また、提供情報をＰＤＦ形式により公開する場合は、ＰＤＦ形式を選択する。
【００３６】
著作性の強い研究論文、学会論文等については、デッドコピーを防止する必要があるため、ＰＤＦ形式のみを選択する。また、これらの論文でも、同じ研究室内の学生、助手等にはデッドコピーが可能なオリジナル形式を配布したとしても何の問題も生じない。この場合はＰＤＦ形式に加え、オリジナル形式を選択する。以上の入力項目及び提供情報は中央装置１の提供情報ＤＢ１５２に登録される。なお、ＰＤＦ形式を選択した場合、端末装置２は、予めインストールされたAdobe systems 社のソフトウェア「Acrobat（登録商標）」または同等の機能をもつソフトウェアを起動し、提供情報をＰＤＦ形式に変換する。変換されたＰＤＦ形式の提供情報は中央装置１へ送信される。なお、本実施の形態においては、ＰＤＦ形式への変換は各端末装置２において実行することとしているが、中央装置１において一括して変換するようにしても良い。
【００３７】
図６は提供情報ＤＢ１５２のレコードレイアウトを示す説明図である。図に示すように端末装置２から送信された提供情報ファイル名に対応させて、提供者名の公開の有無、受信対象者情報、提供形式、及び提供情報の格納先であるＵＲＬが登録されている。その他図示しないが提供情報のタイトル、提供情報の登録日、提供情報のオリジナル形式のデータ、ＰＤＦ形式のデータ等の諸情報が登録されている。
【００３８】
動画像等の提供情報については、さらに提供情報の情報量が低減された補助提供情報が登録されている。例えば○○学長ごあいさつ１の提供情報については、５．２５ＭＢのＭＰＥＧ(Moving Picture Experts Group)ファイルに加えて、５０ｋＢのＲＥＡＬ  Ｍｅｄｉａファイルが登録されている。補助提供情報は、通信速度の劣る環境においても、最低限の情報を伝達すべく、オリジナルの提供情報に対して画素数を劣化、フレーム数の低減、圧縮率の低減等の処理を施している。
【００３９】
本発明では、中央装置１はアクセスがイントラネット等の通信網Ｎを介したアクセスである場合は、情報量を低減していない提供情報（学内ＶＯＤ(Video On Demand) のＵＲＬ）を提供情報ＤＢ１５２から読み出してストリーミング配信し、インターネット等の補助通信網ＳＮを介したアクセスである場合は、情報量の低減処理を施した補助提供情報（学外ＶＯＤのＵＲＬ）を提供情報ＤＢ１５２から読み出してストリーミング配信する。以下では学内ＶＯＤのＵＲＬを学内ＵＲＬ、学外ＶＯＤのＵＲＬを学外ＵＲＬという。
【００４０】
図７は端末装置２から中央装置１へ受信要求を行った場合のイメージを示す説明図である。端末装置２から中央装置１へアクセスし、ＩＤ、パスワードによる認証成功後、中央装置１は提供情報ＤＢ１５２から、受信対象者情報であるＩＤを基に提供情報のタイトル、提供形式等の情報を読み出してＨＴＭＬを作成する。作成されたＨＴＭＬは端末装置２へ送信され、図のように端末装置２のブラウザに表示される。図に示すように提供情報のタイトル毎に提供者の情報、更新日、オリジナル形式の提供情報のダウンロード指示ボタンＢ４、ＰＤＦ形式の表示ボタンＢ５、Ｂ６が表示される。ダウンロード指示ボタンＢ４等はハイパーリンクとなっておりこれらのボタンをクリックすることにより、リンク先の情報が中央装置１へ送信される。中央装置１は提供情報ＤＢ１５２から提供情報を読み出し、端末装置２へ提供情報を送信する。
【００４１】
例えば、２００１年度研究室名簿については、提供者の名前は非公開となっており、提供情報についてはオリジナル形式のダウンロード、またはＰＤＦ形式の表示のいずれでも可能である。ここで、ダウンロードボタンＢ４をクリックした場合、中央装置１は提供情報ＤＢ１５２から２０００１年度研究室名簿のオリジナル形式のファイルを読み出して、端末装置２へ送信する。これにより受信者は提供情報を入手することが可能となる。また○×学会論文については提供者の名前が公開されている。ここでＰＤＦ形式の表示ボタンＢ６をクリックした場合、中央装置１は提供情報ＤＢ１５２から○×学会論文のＰＤＦ形式のファイルを読み出して、端末装置２へ送信する。これにより受信者は提供情報を入手することが可能となる。
【００４２】
以上の構成において、本発明の処理内容を、フローチャートを用いて説明する。図８及び図９は提供情報を登録する際の処理手順を示すフローチャートである。まず、提供情報の登録を希望する教授等の提供者は端末装置２にＩＤ、パスワードを入力し、中央装置１へ送信する（ステップＳ８１）。中央装置１は受信者ＤＢ１５１を参照して認証を行い、正当であると判断した場合は予め記憶部１５に記憶してある登録フォームＨＴＭＬ（図５参照）を読み出して端末装置２へ送信する（ステップＳ８２）。
【００４３】
続いて、提供者は図５に示す登録フォームに提供情報、受信対象者情報を入力する。また受信対象者毎に提供情報をオリジナル形式で提供するか、ＰＤＦ形式により提供するかの提供形式を入力する。さらに提供者名を公開するか否かを特定するために公開情報を入力する。操作部２３から入力された提供情報、受信対象者情報、提供形式、及び公開情報は受け付けられる（ステップＳ８３）。続いて受け付けた提供情報、受信対象者情報、提供形式、及び公開情報をそれぞれ中央装置１へ送信する（ステップＳ８４）。なお、提供情報としてオリジナル形式を送信する。
【００４４】
中央装置１は提供形式としてＰＤＦが選択されているか否かを判断する（ステップＳ８５）。ＰＤＦ形式が選択されている場合は（ステップＳ８５でＹＥＳ）、予め記憶部２５に記憶されているＰＤＦ変換プログラムを実行し、提供情報をＰＤＦ形式へ変換する（ステップＳ８６）。一方、ＰＤＦ形式が選択されていない場合（ステップＳ８５でＮＯ）、ステップＳ８６の処理をスキップする。
【００４５】
中央装置１は、受信した提供情報、受信対象者情報、提供形式、及び公開情報を記憶部１５の提供情報ＤＢ１５２に登録する（ステップＳ８７）。なお、図６に示すように各提供形式（オリジナル形式またはＰＤＦ形式）に対応する提供情報の格納先であるＵＲＬも同時に登録される。さらにＣＰＵ１１は送信された提供情報に対する公開情報として、提供者名を公開する指示がなされているか否かを判断する（ステップＳ８８）。提供者名を公開する指示がなされている場合は（ステップＳ８８でＹＥＳ）、ステップＳ８１により送信されたＩＤを基に受信者ＤＢ１５１を検索し提供者名を読み出す（ステップＳ８９）。読み出された提供者名は提供情報に対応させて提供情報ＤＢ１５２に登録される（ステップＳ８１０）。一方、提供者名の公開指示がなされていない場合は（ステップＳ８８でＮＯ）、ステップＳ８９，Ｓ８１０の処理をスキップする。なお、提供者名の公開指示がなされていない場合、提供者名に代えて送信されたグループ名が登録される。
【００４６】
続いて、ＣＰＵ１１は送信された提供情報が動画であるか否かを判断する（ステップＳ９１）。動画像であると判断した場合は（ステップＳ９１でＹＥＳ）、動画像の低減処理を行う（ステップＳ９２）。具体的には圧縮率の変更、フレーム数の変更、圧縮形式の変更等により行う。低減処理がなされた補助提供情報はその格納先である学外ＵＲＬと共に提供情報ＤＢ１５２に登録される（ステップＳ９３）。なお、低減処理がなされていない提供情報（動画像）についてもその格納先である学内ＵＲＬが提供情報ＤＢ１５２に登録される。提供情報が動画でない場合は（ステップＳ９１でＮＯ）、ステップＳ９２及びＳ９３の処理はスキップされる。
【００４７】
図１０は中央装置１に受信要求があった場合の処理手順を示すフローチャートである。中央装置１への受信要求は学内の通信網Ｎを介した端末装置２から、または学外の補助通信網ＳＮを介した端末装置２１のいずれかにより行うことが可能である。通信網Ｎを介して端末装置２からアクセスを行う場合、ＩＤ及びパスワードが中央装置１へ送信される（ステップＳ１０１）。一方、補助通信網ＳＮを介して端末装置２１からアクセスを行う場合、ＩＤ及びパスワードはまずコンピュータ３へ送信され、コンピュータ３はフラグをセットし、フラグのセット情報と共にＩＤ及びパスワードを中央装置１へ送信する（ステップＳ１０１）。
【００４８】
中央装置１はＩＤ及びパスワードを受信し（ステップＳ１０２）、認証を行う。認証成功後、フラグがセットされているか否かを判断する（ステップＳ１０３）。つまり学内からのアクセスであるか学外からのアクセスであるかを判断する。フラグがセットされていない場合（ステップＳ１０３でＮＯ）、つまり学内からのアクセスである場合、送信されたＩＤを基に提供情報ＤＢ１５２を検索し提供情報、タイトル、提供者名またはグループ名、提供形式、提供情報のリンク先であるＵＲＬ等を抽出する。（ステップＳ１０７）。なお、提供情報の中に動画が存在する場合は、学内ＵＲＬが抽出される。中央装置１は抽出した提供情報のタイトル、提供者名またはグループ名、提供形式，及びＵＲＬ（学内ＵＲＬ）等の情報を基にＨＴＭＬを作成し（ステップＳ１０８）、作成したＨＴＭＬをＲＡＭ１２に格納する。ＨＴＭＬの作成にあっては、予めテンプレートが用意されており、抽出した情報をテンプレートに埋め込むことにより作成する。また、図７のダウンロードボタンＢ４等はハイパーリンク形式で作成され、ダウンロードを示す画像、及び、オリジナル形式またはＰＤＦ形式の提供情報が登録された提供情報ＤＢ１５２の登録先のＵＲＬが＜Ａ  ＨＲＥＦ＞〜＜／Ａ＞で示すタグ内に書き込まれる。中央装置１はこのようにして作成されたＨＴＭＬをＲＡＭ１２から読み出し端末装置２へ送信する（ステップＳ１０９）。これにより端末装置２には図７のＨＴＭＬに係る画面がブラウザに表示される。
【００４９】
一方、ステップＳ１０３においてフラグがセットされていると判断した場合（ステップＳ１０３でＹＥＳ）、つまり学外からのアクセスであると判断した場合、ステップＳ１０７と同様にまず、送信されたＩＤを基に提供情報ＤＢ１５２を検索し、提供情報、タイトル、提供者名またはグループ名、提供形式、及びＵＲＬ等を抽出する（ステップＳ１０４）。続いて、ＣＰＵ１１は抽出した提供情報の中に動画が存在するか否かを判断する（ステップＳ１０５）。動画が存在しない場合は（ステップＳ１０５でＮＯ）、ステップＳ１０８へ移行し、上述した処理と同様に抽出した提供情報のタイトル等を基に、ＨＴＭＬファイルを作成する（ステップＳ１０８）。
【００５０】
一方、提供情報の中に動画が存在する場合（ステップＳ１０５でＹＥＳ）、補助提供情報、タイトル、提供者名またはグループ名、及び補助提供情報の格納先である学外ＵＲＬ等を抽出し（ステップＳ１０６）、提供情報のリンク先である学内ＵＲＬに代えて、補助提供情報のリンク先である学外ＵＲＬ等に基づいてＨＴＭＬを作成する。つまり学外からのアクセスである場合、通信環境が学内に比べ劣ることから、動画像等の情報量の多い提供情報につては、情報量を低減させた補助提供情報を提供することとしたものである。なお、本実施の形態においては動画像の場合に限って情報量を低減させることとしたが、これに限らず、音楽ファイル等に適用しても良い。
【００５１】
そして、端末装置２または端末装置２１からダウンロードボタンＢ４等をクリックすることによりダウンロードの要求がなされ（ステップＳ１０１０）、このダウンロード要求を中央装置１が受信した場合、提供情報ＤＢ１５２から提供情報または補助提供情報を読み出し（ステップＳ１０１１）、読み出した提供情報等を端末装置２または端末装置２１へ送信する（ステップＳ１０１２）。具体的には、ダウンロードボタンＢ４等をクリックすることによりハイパーリンク内に埋め込まれたＵＲＬへジャンプし、ジャンプ先からオリジナル形式またはＰＤＦ形式の提供情報等が読み出され、読み出された提供情報等が端末装置２へ送信される。
【００５２】
実施の形態２
図１１は実施の形態２に係る中央装置１及び端末装置２の構成を示すブロック図である。また、実施の形態１に係る中央装置１を実行させるためのコンピュータプログラムは、本実施の形態２のように中央装置１にプレインストールして提供することも、またＣＤ−ＲＯＭ、ＭＯ等の可搬型記録媒体で提供することも可能である。さらに、コンピュータプログラムを回線経由で搬送波として伝搬させて提供することも可能である。以下に、その内容を説明する。
【００５３】
図１１に示す中央装置１に、提供情報等を登録させ、受信対象者情報を受信させ、提供情報を提供させるプログラムが記録された記録媒体１ａ（ＣＤ−ＲＯＭ、ＭＯ又はＤＶＤ−ＲＯＭ等）が中央装置１の記憶部１５にインストールされている。かかるプログラムは中央装置１のＲＡＭ１２にロードして実行される。これにより、上述のような本発明の中央装置１として機能する。
【００５４】
また、実施の形態１に係る端末装置２を実行させるためのコンピュータプログラムは、本実施の形態２のように端末装置２にプレインストールして提供することも、またＣＤ−ＲＯＭ、ＭＯ等の可搬型記録媒体で提供することも可能である。さらに、コンピュータプログラムを回線経由で搬送波として伝搬させて提供することも可能である。以下に、その内容を説明する。
【００５５】
図１１に示す端末装置２に、提供情報等を受け付けさせ、提供形式を受け付けさせ、提供情報等を送信させるプログラムが記録された記録媒体２ａ（ＣＤ−ＲＯＭ、ＭＯ又はＤＶＤ−ＲＯＭ等）が端末装置２の記憶部２５にインストールされている。かかるプログラムは端末装置２のＲＡＭ２２にロードして実行される。これにより、上述のような本発明の端末装置２として機能する。
【００５６】
本実施の形態２は以上の如き構成としてあり、その他の構成及び作用は実施の形態１と同様であるので、対応する部分には同一の参照番号を付してその詳細な説明を省略する。
【００５７】
【発明の効果】
以上詳述した如く、本発明にあっては、一の端末装置は提供情報に加えて、該提供情報の受信が許可される受信対象者情報を受け付け、さらに各受信対象者に対する提供情報の提供形式を受け付ける。この受け付けた提供情報、受信対象者情報、及び提供形式は中央装置へ送信され登録される。ここで、他の端末装置から受信対象者情報が送信された場合、受信した受信対象者情報に基づいて、登録した提供形式に応じた提供情報を前記他の端末装置へ提供する。以上の如く構成したので、提供情報の著作性の性質に応じて、情報提供者の意志により提供情報の開示対象者及び開示形式を決定することが可能となる。そのため提供する情報の秘密性が保持され、また安易な提供情報のデッドコピーを防止することが出来る。
【００５８】
本発明にあっては、一の端末装置は、提供情報の提供者名を公開するか否かの公開情報を受け付ける。この受け付けられた公開情報は中央装置へ送信され登録される。そして、公開する場合は、提供情報の提供の際、提供者の名前が生徒等の端末装置へ送信される。一方、公開しない場合は提供情報のみが送信され、提供者の名前は送信されない。これにより、研究論文、指導教授から生徒への通達事項等については提供者の名前を公開して、情報の出先を明確化することが出来る。一方、就職情報の案内、食堂の開店時間、休講情報の案内等の一般的事項については、この種の提供情報とは無関係な提供者名を伏せておくことができる。
【００５９】
本発明にあっては、中央装置に提供情報の情報量が低減された補助提供情報をさらに登録しておく。中央装置は、他の端末装置からの受信要求がイントラネット等の通信網を介したものであるか、または、該通信網とは異なるインターネット等の他の通信網を介したものであるかのいずれかを判断する。そして、他の端末装置からの受信要求が他の通信網であると判断した場合は、オリジナルの提供情報に変えて、情報量を低減させた補助提供情報を他の端末装置へ提供する。このように、端末装置からの受信要求箇所に応じて、最適な提供情報を提供することとしたので、中央装置、及び端末装置間の通信トラフィックの負担を大幅に低減することが可能となる等、本発明は優れた効果を奏し得る。
【図面の簡単な説明】
【図１】情報提供システムの概要を示す説明図である。
【図２】中央装置及び端末装置のハードウェア構成を示すブロック図である。
【図３】受信者ＤＢのレコードレイアウトを示す説明図である。
【図４】グループＤＢのレコードレイアウトを示す説明図である。
【図５】提供情報を登録する際のイメージを示す説明図である。
【図６】提供情報ＤＢのレコードレイアウトを示す説明図である。
【図７】端末装置から中央装置へ受信要求を行った場合のイメージを示す説明図である。
【図８】提供情報を登録する際の処理手順を示すフローチャートである。
【図９】提供情報を登録する際の処理手順を示すフローチャートである。
【図１０】中央装置に受信要求があった場合の処理手順を示すフローチャートである。
【図１１】実施の形態２に係る中央装置及び端末装置の構成を示すブロック図である。
【符号の説明】
１    中央装置
２    端末装置
３    コンピュータ
４    Ｆ／Ｗコンピュータ
Ｎ    通信網
ＳＮ  補助通信網
１５  記憶部
１５１  受信者ＤＢ
１５２  提供情報ＤＢ
１５３  グループＤＢ
１３  操作部
１４  表示部
１ａ  記録媒体
２５  記憶部
２３  操作部
２４  表示部
２ａ  記録媒体
【図１】
0004731075.tif 000002
【図２】
0004731075.tif 000003
【図３】
0004731075.tif 000004
【図４】
0004731075.tif 000005
【図５】
0004731075.tif 000006
【図６】
0004731075.tif 000007
【図７】
0004731075.tif 000008
【図８】
0004731075.tif 000009
【図９】
0004731075.tif 000010
【図１０】
0004731075.tif 000011
【図１１】
0004731075.tif 000012